(57)【要約】【課題】燃料吐出性能を悪化させることなく安定して燃料を供給することができる燃料供給装置を提供する。【解決手段】ポンプカバーに、吸込口に一端が接続され他端が燃料ポンプの外部に設けられた吐出管に続くポンプ室内流路と、ポンプ室内流路に接続された開口部を備えたベーパ穴と、ポンプ室内流路の底部に設けられた凹溝とを設け、前記凹溝を前記ベーパ穴の前記開口部と前記吸込口との間に配置した。【選択図】図２
2019085950.tif 000002
【特許請求の範囲】
【請求項１】
燃料タンクの開口部に装着され、前記燃料タンクの内部に貯留された燃料を吸込んで前記燃料タンクの外部へ供給する燃料供給装置であって、
前記燃料タンクの前記開口部に装着されるフランジと、
前記フランジに固定され、前記燃料タンクの内部に配置される燃料ポンプと、
前記燃料ポンプの吸込口に接続され、前記燃料が前記吸込口から前記燃料ポンプの内部に吸込まれる前に前記燃料をろ過する吸込みフィルタと、
を有し、
前記燃料ポンプは、
前記吸込口と、前記吸込口に一端が接続され他端が前記燃料ポンプの外部に設けられた吐出管に続くポンプ室内流路と、を備えたポンプカバーと、
電動機により駆動されて回転し、前記吸込口から吸込んだ燃料を、前記ポンプ室内流路の前記一端から前記他端に続く前記吐出管へ流通させるインペラと、
前記ポンプカバーに設けられ、前記ポンプ室内流路に接続された開口部を備えたベーパ穴と、
前記ポンプ室内流路の底部に設けられた凹溝と、
を備え、
前記凹溝は、前記ベーパ穴の前記開口部と前記吸込口との間に配置されている、
ことを特徴とする燃料供給装置。
【請求項２】
前記凹溝は、前記ポンプ室内流路の下流側に向けて傾斜する下流側壁部を備えている、
ことを特徴とする請求項１に記載の燃料供給装置。
【請求項３】
前記凹溝は、前記吸込口に接して設けられた上流側壁部を備え、
前記上流側壁部の頂部は、前記ポンプ室内流路の底面より高く形成されている、
ことを特徴とする請求項２に記載の燃料供給装置。
【請求項４】
前記凹溝に接続され、前記ポンプ室内流路が形成されていない前記ポンプカバーの部位に設けられた凹溝拡大部を備えた、
ことを特徴とする請求項１から３のうちの何れか一項に記載の燃料供給装置。
【請求項５】
前記凹溝拡大部は、隔壁を介して前記吸込口に隣接するように構成されている、
ことを特徴とする請求項４に記載の燃料供給装置。
【請求項６】
前記ベーパ穴の前記開口部は、前記ポンプカバーに於ける前記ポンプ室内流路が設けられていない部位に配置されている、
ことを特徴とする請求項１から５のうちの何れか一項に記載の燃料供給装置。
【発明の詳細な説明】
【技術分野】
【０００１】
この発明は、燃料を貯蔵する燃料タンク内に配置されて、燃料を燃料タンク外部へ供給する燃料供給装置に関するものである。
【背景技術】
【０００２】
燃料供給装置としての燃料ポンプは、燃料タンク内の残燃料が少ない状態でも安定して燃料を吸上げられる性能と、省エネルギー化推進のための、軽量で小型な形状が求められている。従来の燃料タンクの上開口部に保持されるタイプの燃料ポンプの場合、燃料タンク内の燃料が減少して燃料液面と燃料供給装置との間が一定距離以上に離れると、燃料ポンプを駆動させても燃料ポンプ内のインペラが空転するだけで、吸込みフィルタが燃料液面に接触していても燃料を吸上げることができなかった。
【０００３】
従って、前述の従来の燃料ポンプの場合、燃料の液面と燃料ポンプとの間を一定の距離以内にする必要がある。しかし、燃料タンクの深さは車両毎に異なるため、燃料タンクに合わせて燃料ポンプを製作する必要がある。その結果、燃料ポンプを標準化することができず、製造コストが上昇する要因となっていた。
【０００４】
従来の燃料供給装置に於ける前述のような課題を解決するために、燃料ポンプ室内の流路の途中に凹溝を設置し、燃料ポンプが停止しても燃料が凹溝内に残留するようにした燃料供給装置が開示されている（例えば特許文献１参照）。
【０００５】
特許文献１に開示された従来の燃料供給装置によれば、燃料ポンプ室内の流路の途中に設置された凹溝に燃料が残留しているので、燃料供給装置の再駆動時に燃料ポンプと燃料タンク内の燃料の液面との間が離れていても、凹溝内に残留している燃料が呼び水となり燃料タンク内の燃料を吸上げることができる。従って、燃料ポンプと燃料タンク内の燃料の液面の距離が長くても燃料を容易に吸い上げることができるので、燃料ポンプを小型化することができる。
【先行技術文献】
【特許文献】
【０００６】
【特許文献１】特開平２−２１５９９４号公報
【発明の概要】
【発明が解決しようとする課題】
【０００７】
周知のように、燃料ポンプは、インペラを回転させることで吸込口に負圧を発生させて燃料タンク内の燃料を吸上げるように構成されている。燃料ポンプ内に吸上げられた燃料は、燃料ポンプ室内の流路を進むにつれてその流路に設けられたベーパ穴の近傍で正圧となり、更に流路の下流に進むにつれて昇圧されて吐出口から吐出される。
【０００８】
前述の特許文献１に開示された従来の燃料ポンプは、燃料ポンプ室内の流路に設けられた凹溝に残留している燃料が呼び水となることで、燃料タンク内の燃料が少なくなっていても燃料を吸上げることができるので再駆動性は向上する。しかしながら、特許文献１に開示された従来の燃料ポンプは、ベーパ穴から下流の高圧側の流路に凹溝が設けられているので、その凹溝により高圧側の燃料の流れが乱れ、燃料吐出性能が悪化するという課題があった。
【０００９】
この発明は、従来の燃料ポンプに於ける前述のような課題を解決するためになされたものであり、燃料吐出性能を悪化させることなく安定して燃料を供給することができる燃料供給装置を得ることを目的とする。
【課題を解決するための手段】
【００１０】
この発明による燃料供給装置は、
燃料タンクの開口部に装着され、前記燃料タンクの内部に貯留された燃料を吸込んで前記燃料タンクの外部へ供給する燃料供給装置であって、
前記燃料タンクの前記開口部に装着されるフランジと、
前記フランジに固定され、前記燃料タンクの内部に配置される燃料ポンプと、
前記燃料ポンプの吸込口に接続され、前記燃料が前記吸込口から前記燃料ポンプの内部に吸込まれる前に前記燃料をろ過する吸込みフィルタと、
を有し、
前記燃料ポンプは、
前記吸込口と、前記吸込口に一端が接続され他端が前記燃料ポンプの外部に設けられた吐出管に続くポンプ室内流路と、を備えたポンプカバーと、
電動機により駆動されて回転し、前記吸込口から吸込んだ燃料を、前記ポンプ室内流路の前記一端から前記他端に続く前記吐出管へ流通させるインペラと、
前記ポンプカバーに設けられ、前記ポンプ室内流路に接続された開口部を備えたベーパ穴と、
前記ポンプ室内流路の底部に設けられた凹溝と、
を備え、
前記凹溝は、前記ベーパ穴の前記開口部と前記吸込口との間に配置されている、
ことを特徴とする。
【発明の効果】
【００１１】
この発明による燃料供給装置は、前記燃料ポンプは、前記吸込口と前記吸込口に一端が接続され他端が前記燃料ポンプの外部に設けられた吐出管に続くポンプ室内流路とを備えたポンプカバーと、電動機により駆動されて回転し、前記吸込口から吸込んだ燃料を、前記ポンプ室内流路の前記一端から前記他端に続く前記吐出管へ流通させるインペラと、前記ポンプカバーに設けられ、前記ポンプ室内流路に接続された開口部を備えたベーパ穴と、前記ポンプ室内流路の底部に設けられた凹溝とを備え、前記凹溝は、前記ベーパ穴の前記開口部と前記吸込口との間に配置されているので、燃料供給装置の駆動再開時に、燃料タンク内の燃料の液面が低くても容易に燃料の供給を再開することが可能であり、且つ、ポンプ室内流路に於ける高圧側の燃料の流れが乱れることがなく、安定して燃料を供給することができる燃料供給装置を得ることができる。
【図面の簡単な説明】
【００１２】
【図１】この発明の実施の形態１による燃料供給装置の全体構成を示す説明図である。
【図２】この発明の実施の形態１による燃料供給装置のポンプカバーの平面図である。
【図３】この発明の実施の形態１による燃料供給装置のポンプ室の断面図である。
【図４】この発明の実施の形態２による燃料供給装置のポンプカバーの平面図である。
【図５】この発明の実施の形態２による燃料供給装置のポンプ室の断面図である。
【図６】この発明の実施の形態３による燃料供給装置のポンプカバーの平面図である。
【発明を実施するための形態】
【００１３】
実施の形態１．
以下、この発明の実施の形態１による燃料供給装置を図に基づいて説明する。図1は、この発明の実施の形態１による燃料供給装置の全体構成を示す説明図である。図１に於いて、燃料供給装置１００は、燃料タンク１に装着された状態で示されている。図１に示すように、燃料供給装置１００は、燃料タンク１の開口部２から燃料タンク１の内部に吊下げられた状態で配置される。燃料タンク１の開口部２は、例えば円板状に形成されたモールド成形品である蓋部材としてのフランジ１０により封止される。
【００１４】
燃料供給装置１００は、円筒形状に構成されたケース１２と、ケース１２の内部に収納された燃料ポンプ１１と、ケース１２の上部に固定されたフランジ１０と、ケース１２の下部に装着された吸込みフィルタ１４とを備えている。吸込みフィルタ１４は、一端部が燃料ポンプ１１の吸込口１３に接続され、他端部が燃料タンク１の内部に貯留された燃料１０１に浸漬されている。
【００１５】
燃料ポンプ１１は、内蔵された電動機（図示せず）と、ポンプベース２２と、ポンプカバー２０と、電動機により駆動されて回転する円板状のインペラ２１と、ポンプカバー２０に設けられた吸込口１３と、フランジ１０の上部表面から突出する吐出管１５とを備えている。ポンプベース２２と、インペラ２１と、ポンプカバー２０とによりポンプ室５０が構成されている。フランジ１０に設けられたコネクタ１６は、リード線１７を介して燃料ポンプ１１の電動機に接続されており、外部の電源装置から電動機に給電する。フランジ１０と吐出管１５とコネクタ１６以外の燃料供給装置１００の構成部材は、燃料タンク１の内部に収納される。
【００１６】
図２は、この発明の実施の形態１による燃料供給装置のポンプカバーの平面図、図３は、この発明の実施の形態１による燃料供給装置のポンプ室の断面図である。図３に示すように、インペラ２１は、電動機により駆動されて回転する。ポンプカバー２０は、インペラ２１に対向してポンプベース２２に固定されている。ポンプベース２２には、ポンプ室５０に接続された吐出口３１が形成されている。
【００１７】
図２に示すように、ポンプカバー２０のポンプベース２２側の平面部には、ポンプ室内流路３０が設けられている。このポンプ室内流路３０は、円弧状に形成された長溝により形成され、円板状のインペラ２１のポンプカバー２０側の平面に於ける周縁部に対向するように設けられている。ポンプ室内流路３０の上流側の端部３０１は、前述の吸込口１３に接続され、ポンプ室内流路３０の下流側の端部３０２は、吐出管１５へと続く。又、ポンプ室内流路３０の上流側の端部３０１の流路幅は、ポンプ室内流路３０の下流側の端部３０２の流路幅より大きく形成されている。
【００１８】
ベーパ穴３３は、燃料に含まれるベーパをポンプ室外へ排出するための穴であり、ポンプ室５０の内部と外部を連通するように、ポンプカバー２０を貫通して設けられている。このベーパ穴３３の一端３３１は、ポンプ室内流路３０に対する内径側の位置でポンプ室内流路３０に接続されてポンプカバー２０の平面部２０１に開口している。又、ベーパ穴３３の他端３３２は、ポンプカバー２０の外部表面２０２に開口している。
【００１９】
ポンプ室内流路３０の底部に凹溝３２が形成されている。この凹溝３２は、吸込口１３と前述のベーパ穴３３の開口した一端３３１との間に配置されている。凹溝３２の下流側壁部３２１は、凹溝３２内の燃料が下流側に流れやすくするために、ポンプ室内流路３０の下流側に傾斜するように形成されている。一方、凹溝３２の上流側壁部３２２は、実質的に垂直に形成され、その頂部３２３は、ポンプ室内流路３０の底面、つまり凹溝３２の上面と同一平面内に存在するように構成されている。吸込口１３のポンプ室側の内壁１３１は、ポンプ室内流路３０の下流側に傾斜するように形成されている。
【００２０】
以上のように構成されたこの発明の実施の形態１による燃料供給装置１００に於いて、ポンプ室５０は、ポンプカバー２０と、インペラ２１と、ポンプベース２２とで構成されており、燃料ポンプ１１が駆動されると、燃料タンク１の燃料１０１は、電動機と共にインペラ２１が回転することで吸込みフィルタ１４から吸込口１３まで吸上げられる。吸込口１３まで吸上げられた燃料は、ポンプ室内流路３０に沿って流れることで加圧され、プレッシャレギュレータ（図示せず）により所定の圧力に調圧されて吐出口３１からポンプ室５０の外部へ押し出される。その後、燃料は、燃料ポンプ１１内を流れて最終的に吐出管１５から燃料タンク１の外部へ供給される。
【００２１】
燃料ポンプ１１の停止後、燃料ポンプ１１内の燃料は、燃料タンク１内へ流れ出て、燃料ポンプ１１内は空気で満たされるが、ポンプ室内流路３０内に設けられた凹溝３２には燃料が残留する。そして、燃料ポンプ１１の再駆動時に、凹溝３２に残留している燃料が呼び水となり、図１のように燃料タンク１内の燃料１０１が少なくなっていても、安定して燃料１０１を燃料ポンプ１１内に吸上げることができる。
【００２２】
この発明の実施の形態１によれば、ベーパ穴３３の開口部から上流側に凹溝が設けられているので、高圧側の燃料の流れが乱れることはなく、燃料吐出性能が悪化することがない。
【００２３】
又、凹溝３２がベーパ穴３３よりもポンプ室内流路３０の上流側に設けられていると、凹溝３２内の燃料がベーパ穴３３から排出されてしまい、呼び水としての効果が薄れてしまうが、この発明の実施の形態１による燃料供給装置１００は、前述のように、ポンプ室内流路３０に対して内径側に位置するポンプカバー２０の平面部２０１、つまりポンプ室内流路３０の内土手となる高い位置、にベーパ穴３３が開口するように設けられており、凹溝３２内の燃料がベーパ穴３３から排出され難くなる。
【００２４】
又、燃料は、インペラ２１の回転による遠心力により、ポンプ室内流路３０の径方向の外側を主として流れるが、ポンプ室内流路３０の内径側に位置するポンプカバー２０の平面部２０１にベーパ穴３３が開口するように設けられているので、凹溝３２内の燃料はベーパ穴３３から更に排出され難くなる。
【００２５】
更に、前述のように、凹溝３２の下流側壁部３２１は、ポンプ室内流路３０の下流側に傾斜するように形成されているので、燃料ポンプ１１の停止後に吸込口１３から燃料タンク１へ流れ出る燃料が凹溝３２に溜まりやすく、且つ燃料ポンプ１１の再駆動時には、凹溝３２内の燃料がポンプ室内流路３０へ流出しやすくなる。
【００２６】
実施の形態２．
次にこの発明の実施の形態２による燃料供給装置について説明する。図４は、この発明の実施の形態２による燃料供給装置のポンプカバーの平面図、図５は、この発明の実施の形態２による燃料供給装置のポンプ室の断面図である。尚、実施の形態１による燃料供給装置と同一又は相当部分には同一符号を付してある。
【００２７】
図４、図５に於いて、ポンプ室内流路３０の底部に形成された凹溝３２は、吸込口１３と前述のベーパ穴３３の開口した一端３３１との間に配置されている。この凹溝３２は、前述の実施の形態１に於ける凹溝よりもポンプ室内流路３０に沿って長く形成されており、凹溝３２の上流側の端部は、吸込口１３に隣接するように形成されている。
【００２８】
凹溝３２の下流側壁部３２１は、凹溝３２内の燃料が下流側に流れやすくするために、ポンプ室内流路３０の下流側に向けて傾斜するように形成されている。又、凹溝３２の上流側壁部３２２は、ポンプ室内流路３０のうえ流側に傾斜するように形成され、その頂部３２３は、ポンプ室内流路３０の底面よりインペラ２１側に高く形成されている。しかし、その頂部３２３は、ポンプカバー２０の平面部２０１より低く形成されており、ポンプ室内流路３０の深さ寸法の範囲内に存在する。吸込口１３のポンプ室側の内壁１３１は、ポンプカバー２０の平面部２０１に対して実質的に垂直に形成されている。
【００２９】
尚、その他の構成は、前述の実施の形態１による燃料供給装置と同様である。
【００３０】
この発明の実施の形態２による燃料供給装置によれば、前述の構成により、ポンプ室内流路全体に燃料が溜まりやすくなる。又、凹溝３２が吸込口１３の近傍まで拡大されているので凹溝３２内に残留する燃料の量が多くなり、燃料ポンプの再駆動時の呼び水効果が向上する。
【００３１】
実施の形態３．
次にこの発明の実施の形態３による燃料供給装置について説明する。図６は、この発明の実施の形態３による燃料供給装置のポンプカバーの平面図であり、実施の形態１及び実施の形態２による燃料供給装置と同一又は相当部分には同一符号を付してある。
【００３２】
図６に於いて、ポンプ室内流路３０の底部に形成された凹溝３２は、吸込口１３と前述のベーパ穴３３の開口した一端３３１との間に配置されており、凹溝３２の上流側の端部は、吸込口１３に隣接している。更に、凹溝３２は、凹溝拡大部３２０に接続されている。この凹溝拡大部３２０は、ポンプ室内流路３０が形成されていないポンプカバー２０の平面部２０１にまで延びている。
【００３３】
さらに詳しく述べれば、凹溝拡大部３２０は、凹溝３２の上流側端部に於ける内径側から、ポンプカバー２０の平面部２０１にまで切り込まれ、吸込口１３の内径側に隣接するように配置されている。凹溝拡大部３２０と吸込口１３との間には隔壁３２４が形成され、この隔壁３２４の頂面は、ポンプカバー２０の平面部２０１と同一平面となるように形成されている。
【００３４】
尚、その他の構成は、前述の実施の形態２による燃料供給装置と同様である。
【００３５】
この発明の実施の形態３による燃料供給装置によれば、ポンプカバー２０の平面部２０１にまで延びる凹溝拡大部３２０を備えているので、残留する燃料の量がさらに多くなり、燃料ポンプの再駆動時の呼び水効果が向上する。
【００３６】
前述の実施の形態１による燃料供給装置は、下記の（１）、（２）、及び（６）に記載の発明を具体化したものであり、前述の実施の形態２による燃料供給装置は、下記の（１）から（３）、及び（６）に記載の発明を具体化したものである。又、前述の実施の形態３による燃料供給装置は、下記の（１）から（６）に記載の発明を具体化したものである。
【００３７】
（１）燃料タンクの開口部に装着され、前記燃料タンクの内部に貯留された燃料を吸込んで前記燃料タンクの外部へ供給する燃料供給装置であって、
前記燃料タンクの前記開口部に装着されるフランジと、
前記フランジに固定され、前記燃料タンクの内部に配置される燃料ポンプと、
前記燃料ポンプの吸込口に接続され、前記燃料が前記吸込口から前記燃料ポンプの内部に吸込まれる前に前記燃料をろ過する吸込みフィルタと、
を有し、
前記燃料ポンプは、
前記吸込口と、前記吸込口に一端が接続され他端が前記燃料ポンプの外部に設けられた吐出管に続くポンプ室内流路と、を備えたポンプカバーと、
電動機により駆動されて回転し、前記吸込口から吸込んだ燃料を、前記ポンプ室内流路の前記一端から前記他端に続く前記吐出管へ流通させるインペラと、
前記ポンプカバーに設けられ、前記ポンプ室内流路に接続された開口部を備えたベーパ穴と、
前記ポンプ室内流路の底部に設けられた凹溝と、
を備え、
前記凹溝は、前記ベーパ穴の前記開口部と前記吸込口との間に配置されている、
ことを特徴とする燃料供給装置。
この発明によれば、燃料供給装置の駆動が再開されても燃料タンク内の燃料の液面が低くても容易に燃料の供給を再開することが可能であり、且つ、ポンプ室内流路に於ける高圧側の燃料の流れが乱れることがなく、安定して燃料を供給することができる燃料供給装置を得ることができる。
【００３８】
（２）前記凹溝は、前記ポンプ室内流路の下流側に向けて傾斜する下流側壁部を備えている、
ことを特徴とする上記（１）に記載の燃料供給装置。
この発明によれば、燃料ポンプ１１の再駆動時には、凹溝３２内の燃料がポンプ室内流路３０へ流出しやすくなるという効果を有する。
【００３９】
（３）前記凹溝は、前記吸込口に接して設けられた上流側壁部を備え、
前記上流側壁部の頂部は、前記ポンプ室内流路の底面より高く形成されている、
ことを特徴とする上記（２）に記載の燃料供給装置。
この発明によれば、燃料が凹溝３２に溜まりやすくなるという効果を有する。
【００４０】
（４）前記凹溝に接続され、前記ポンプ室内流路が形成されていない前記ポンプカバーの部位に設けられた凹溝拡大部を備えた、
ことを特徴とする上記（１）から（３）うちの何れか一つに記載の燃料供給装置。
この発明によれば、残留する燃料の量が多くなり、燃料ポンプの再駆動時の呼び水効果が向上するという効果を有する。
【００４１】
（５）前記凹溝拡大部は、隔壁を介して前記吸込口に隣接するように構成されている、
ことを特徴とする上記（４）に記載の燃料供給装置。
この発明によれば、残留する燃料の量が多くなり、燃料ポンプの再駆動時の呼び水効果が向上するという効果を有する。
【００４２】
（６）前記ベーパ穴の前記開口部は、前記ポンプカバーに於ける前記ポンプ室内流路が設けられていない部位に配置されている、
ことを特徴とする上記（１）から（５）のうちの何れか一つに記載の燃料供給装置。
この発明によれば、凹溝３２内の燃料がベーパ穴３３から排出され難くなるという効果を有する。
【００４３】
尚、この発明は前述の実施の形態１から３による燃料供給装置に限定されるものではなく、この発明の趣旨を逸脱しない範囲において、実施の形態１から３の構成を適宜組み合わせたり、その構成に一部変形を加えたり、構成を一部省略することが可能である。
【符号の説明】
【００４４】
１  燃料タンク、２  燃料タンク１の開口部、１０  フランジ、１１  燃料ポンプ、１２  ケース、１３  吸込口、１４  吸込みフィルタ、１５  吐出管、１６  コネクタ、１７  リード線、２０  ポンプカバー、２１  インペラ、２２  ポンプベース、３０  ポンプ室内流路、３１  吐出口、３２  凹溝、３２０  凹溝拡大部、３３  ベーパ穴、１３１  内壁、５０  ポンプ室、１００  燃料供給装置、１０１  燃料
【図１】
2019085950.tif 000003
【図２】
2019085950.tif 000004
【図３】
2019085950.tif 000005
【図４】
2019085950.tif 000006
【図５】
2019085950.tif 000007
【図６】
2019085950.tif 000008
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
燃料タンクの開口部に装着され、前記燃料タンクの内部に貯留された燃料を吸込んで前記燃料タンクの外部へ供給する燃料供給装置であって、
前記燃料タンクの前記開口部に装着されるフランジと、
前記フランジに固定され、前記燃料タンクの内部に配置される燃料ポンプと、
前記燃料ポンプの吸込口に接続され、前記燃料が前記吸込口から前記燃料ポンプの内部に吸込まれる前に前記燃料をろ過する吸込みフィルタと、
を有し、
前記燃料ポンプは、
前記吸込口と、前記吸込口に一端が接続され他端が前記燃料ポンプの外部に設けられた吐出管に続くポンプ室内流路と、を備えたポンプカバーと、
電動機により駆動されて回転し、前記吸込口から吸込んだ燃料を、前記ポンプ室内流路の前記一端から前記他端に続く前記吐出管へ流通させるインペラと、
前記ポンプカバーに設けられ、前記ポンプ室内流路に接続された開口部を備えたベーパ穴と、
前記ポンプ室内流路の底部に設けられた凹溝と、
を備え、
前記凹溝は、
前記ベーパ穴の前記開口部と前記吸込口との間に配置され、前記ポンプ室内流路の下流側に向けて傾斜する下流側壁部と、前記吸込口に接して設けられた上流側壁部を備え、
前記上流側壁部の頂部は、前記ポンプ室内流路の底面よりも高く形成されている、
ことを特徴とする燃料供給装置。
【請求項２】
前記凹溝に接続され、前記ポンプ室内流路が形成されていない前記ポンプカバーの部位に設けられた凹溝拡大部を備えた、
ことを特徴とする請求項１に記載の燃料供給装置。
【請求項３】
前記凹溝拡大部は、隔壁を介して前記吸込口に隣接するように構成されている、
ことを特徴とする請求項２に記載の燃料供給装置。
【請求項４】
前記ベーパ穴の前記開口部は、前記ポンプカバーに於ける前記ポンプ室内流路が設けられていない部位に配置されている、
ことを特徴とする請求項１から３のうちの何れか一項に記載の燃料供給装置。
【手続補正２】
【補正対象書類名】明細書
【補正対象項目名】００１０
【補正方法】変更
【補正の内容】
【００１０】
この発明による燃料供給装置は、
燃料タンクの開口部に装着され、前記燃料タンクの内部に貯留された燃料を吸込んで前記燃料タンクの外部へ供給する燃料供給装置であって、
前記燃料タンクの前記開口部に装着されるフランジと、
前記フランジに固定され、前記燃料タンクの内部に配置される燃料ポンプと、
前記燃料ポンプの吸込口に接続され、前記燃料が前記吸込口から前記燃料ポンプの内部に吸込まれる前に前記燃料をろ過する吸込みフィルタと、
を有し、
前記燃料ポンプは、
前記吸込口と、前記吸込口に一端が接続され他端が前記燃料ポンプの外部に設けられた吐出管に続くポンプ室内流路と、を備えたポンプカバーと、
電動機により駆動されて回転し、前記吸込口から吸込んだ燃料を、前記ポンプ室内流路の前記一端から前記他端に続く前記吐出管へ流通させるインペラと、
前記ポンプカバーに設けられ、前記ポンプ室内流路に接続された開口部を備えたベーパ穴と、
前記ポンプ室内流路の底部に設けられた凹溝と、
を備え、
前記凹溝は、
前記ベーパ穴の前記開口部と前記吸込口との間に配置され、前記ポンプ室内流路の下流側に向けて傾斜する下流側壁部と、前記吸込口に接して設けられた上流側壁部を備え、
前記上流側壁部の頂部は、前記ポンプ室内流路の底面より高く形成されている、
ことを特徴とする。
【手続補正３】
【補正対象書類名】明細書
【補正対象項目名】００１１
【補正方法】変更
【補正の内容】
【００１１】
この発明による燃料供給装置は、前記燃料ポンプは、前記吸込口と、前記吸込口に一端が接続され他端が前記燃料ポンプの外部に設けられた吐出管に続くポンプ室内流路と、を備えたポンプカバーと、電動機により駆動されて回転し、前記吸込口から吸込んだ燃料を、前記ポンプ室内流路の前記一端から前記他端に続く前記吐出管へ流通させるインペラと、前記ポンプカバーに設けられ、前記ポンプ室内流路に接続された開口部を備えたベーパ穴と、前記ポンプ室内流路の底部に設けられた凹溝とを備え、前記凹溝は、前記ベーパ穴の前記開口部と前記吸込口との間に配置され、前記ポンプ室内流路の下流側に向けて傾斜する下流側壁部と、前記吸込口に接して設けられた上流側壁部を備え、前記上流側壁部の頂部は、前記ポンプ室内流路の底面より高く形成されているので、燃料供給装置の駆動再開時に、燃料タンク内の燃料の液面が低くても容易に燃料の供給を再開することが可能であり、且つ、ポンプ室内流路に於ける高圧側の燃料の流れが乱れることがなく、安定して燃料を供給することができる燃料供給装置を得ることができる。
【手続補正４】
【補正対象書類名】明細書
【補正対象項目名】００３７
【補正方法】変更
【補正の内容】
【００３７】
（１）燃料タンクの開口部に装着され、前記燃料タンクの内部に貯留された燃料を吸込んで前記燃料タンクの外部へ供給する燃料供給装置であって、
前記燃料タンクの前記開口部に装着されるフランジと、
前記フランジに固定され、前記燃料タンクの内部に配置される燃料ポンプと、
前記燃料ポンプの吸込口に接続され、前記燃料が前記吸込口から前記燃料ポンプの内部に吸込まれる前に前記燃料をろ過する吸込みフィルタと、
を有し、
前記燃料ポンプは、
前記吸込口と、前記吸込口に一端が接続され他端が前記燃料ポンプの外部に設けられた吐出管に続くポンプ室内流路と、を備えたポンプカバーと、
電動機により駆動されて回転し、前記吸込口から吸込んだ燃料を、前記ポンプ室内流路の前記一端から前記他端に続く前記吐出管へ流通させるインペラと、
前記ポンプカバーに設けられ、前記ポンプ室内流路に接続された開口部を備えたベーパ穴と、
前記ポンプ室内流路の底部に設けられた凹溝と、
を備え、
前記凹溝は、
前記ベーパ穴の前記開口部と前記吸込口との間に配置され、前記ポンプ室内流路の下流側に向けて傾斜する下流側壁部と、前記吸込口に接して設けられた上流側壁部を備え、
前記上流側壁部の頂部は、前記ポンプ室内流路の底面より高く形成されている、
ことを特徴とする燃料供給装置。
この発明によれば、燃料供給装置の駆動が再開されても燃料タンク内の燃料の液面が低くても容易に燃料の供給を再開することが可能であり、且つ、ポンプ室内流路に於ける高圧側の燃料の流れが乱れることがなく、安定して燃料を供給することができる燃料供給装置を得ることができる。又、この発明によれば、燃料が凹溝３２に溜まりやすくなるという効果を有する。更に、この発明によれば、燃料ポンプ１１の再駆動時には、凹溝３２内の燃料がポンプ室内流路３０へ流出しやすくなるという効果を有する。
【手続補正５】
【補正対象書類名】明細書
【補正対象項目名】００３８
【補正方法】削除
【補正の内容】
【手続補正６】
【補正対象書類名】明細書
【補正対象項目名】００３９
【補正方法】削除
【補正の内容】
【手続補正７】
【補正対象書類名】明細書
【補正対象項目名】００４０
【補正方法】変更
【補正の内容】
【００４０】
（２）前記凹溝に接続され、前記ポンプ室内流路が形成されていない前記ポンプカバーの部位に設けられた凹溝拡大部を備えた、
ことを特徴とする上記（１）に記載の燃料供給装置。
この発明によれば、残留する燃料の量が多くなり、燃料ポンプの再駆動時の呼び水効果が向上するという効果を有する。
【手続補正８】
【補正対象書類名】明細書
【補正対象項目名】００４１
【補正方法】変更
【補正の内容】
【００４１】
（３）前記凹溝拡大部は、隔壁を介して前記吸込口に隣接するように構成されている、
ことを特徴とする上記（２）に記載の燃料供給装置。
この発明によれば、残留する燃料の量が多くなり、燃料ポンプの再駆動時の呼び水効果が向上するという効果を有する。
【手続補正９】
【補正対象書類名】明細書
【補正対象項目名】００４２
【補正方法】変更
【補正の内容】
【００４２】
（４）前記ベーパ穴の前記開口部は、前記ポンプカバーに於ける前記ポンプ室内流路が設けられていない部位に配置されている、
ことを特徴とする上記（１）から（３）のうちの何れか一つに記載の燃料供給装置。
この発明によれば、凹溝３２内の燃料がベーパ穴３３から排出され難くなるという効果を有する。